(57)【特許請求の範囲】
【請求項１】
量子化されたＦＭ信号が入力される少なくとも１つの側帯波抑圧フィルタを含む複数のフィルタの出力の中から選択したディジタルＦＭ信号の振幅レベルが予め設定した範囲内であることを検出する手段、上記１つまたは複数の側帯波抑圧フィルタのうちのいずれか１つの出力信号の極大値および極小値を検出する手段、および上記２つの検出結果に応じて上記ディジタルＦＭ信号，または予め設定した値を選択する手段とを備えたことを特徴とするＦＭ信号の反転現象防止装置。
【請求項２】
量子化されたＦＭ信号が入力される少なくとも１つの側帯波抑圧フィルタを含む複数のフィルタの出力の中から選択したディジタルＦＭ信号の振幅レベルが予め設定した範囲内であることを検出する手段、上記１つまたは複数の側帯波抑圧フィルタのうちのいずれか１つの出力信号の極大値および極小値を検出する手段、上記ディジタルＦＭ信号と同時刻の上記１つまたは複数の側帯波抑圧フィルタの出力信号のうちのいずれか１つの出力信号との減算結果の絶対値が予め設定した値より大きいか否かを検出する手段、および上記３つの検出結果に応じて上記ディジタルＦＭ信号または上記フィルタ出力信号を選択する手段とを備えたことを特徴とするＦＭ信号の反転現象防止装置。
【請求項３】
量子化されたＦＭ信号が入力される少なくとも１つの側帯波抑圧フィルタを含む複数のフィルタの出力の中から、選択したディジタルＦＭ信号の振幅レベルが予め設定した範囲内であることを検出する手段、上記１つまたは複数の側帯波抑圧フィルタのうちのいずれか１つの出力信号の極大値および極小値を検出する手段、上記ディジタルＦＭ信号と同時刻の上記１つまたは複数の側帯波抑圧フィルタの出力信号のうちのいずれか１つの出力信号との減算結果の絶対値が予め設定した値より大きいか否かを検出する手段、および上記３つの検出結果に応じて上記ディジタルＦＭ信号，上記フィルタ出力信号または予め設定した値を選択する手段とを備えたことを特徴とするＦＭ信号の反転現象防止装置。
【請求項４】
量子化されたＦＭ信号が入力される少なくとも１つの側帯波抑圧フィルタを含む複数のフィルタの出力の中から選択したディジタルＦＭ信号の振幅レベルが予め設定した範囲内であることを検出する手段、上記１つまたは複数の側帯波抑圧フィルタのうちのいずれか１つの出力信号の極大値および極小値を検出する手段、反転現象検出装置のフィルタ選択出力値が予め設定した範囲内であることを検出する手段、および上記３つの検出結果に応じて上記ディジタルＦＭ信号、または予め設定した値を選択する手段とを備えたことを特徴とするＦＭ信号の反転現象防止装置。
【請求項５】
量子化されたＦＭ信号が入力される少なくとも１つの側帯波抑圧フィルタを含む複数のフィルタの出力の中から選択したディジタルＦＭ信号の振幅レベルが予め設定した範囲内であることを検出する手段、上記１つまたは複数の側帯波抑圧フィルタのうちのいずれか１つの出力信号の極大値および極小値を検出する検出器、上記ディジタルＦＭ信号と、同時刻の上記１つまたは複数の側帯波抑圧フィルタの出力信号のうちのいずれか１つの出力信号との減算結果の絶対値が予め設定した値より大きいか否かを検出する手段、反転現象器のフィルタ選択出力値が予め設定した範囲内であることを検出する手段、および上記４つの検出結果に応じて上記ディジタルＦＭ信号、または上記フィルタ出力信号を選択する手段とを備えたことを特徴とするＦＭ信号の反転現象防止装置。
【請求項６】
量子化されたＦＭ信号が入力される少なくとも１つの側帯波抑圧フィルタを含む複数のフィルタの出力の中から選択したディジタルＦＭ信号の振幅レベルが予め設定した範囲内であることを検出する手段、上記１つまたは複数の側帯波抑圧フィルタのうちのいずれか１つの出力信号の極大値および極小値を検出する手段、上記ディジタルＦＭ信号と、同時刻の上記１つまたは複数の側帯波抑圧フィルタの出力信号のうちいずれか１つの出力信号との減算結果の絶対値が予め設定した値より大きいか否かを検出する手段、反転現象検出器のフィルタ選択出力値が予め設定した範囲内であることを検出する手段、上記４つの検出結果に応じて上記ディジタルＦＭ信号，上記フィルタ出力信号、または予め設定した値を選択する手段とを備えたことを特徴とするＦＭ信号の反転現象防止装置。
【発明の詳細な説明】
【０００１】
【産業上の利用分野】
この発明は、ＦＭ信号を復調したときに生じる反転現象を防止するための装置に関するものである。
【０００２】
【従来の技術】
図７は、特願平０６−０５０５３３号に記載されたＦＭ信号の反転現象防止装置のブロック図で、この従来例は、下側帯波強調フィルタが１つで、側帯波抑圧フィルタも側帯波最大抑圧フィルタのみである場合を示しており、１はディジタルＦＭ信号の入力端子、２はディジタルＦＭ信号の下側帯波を強調、または上側帯波を抑圧する下側帯波強調フィルタ、４はディジタルＦＭ信号の上下両側帯波または下側帯波を抑圧する側帯波最大抑圧フィルタ、３は下側帯波強調フィルタ２、側帯波最大抑圧フィルタ４により出力される信号の遅延時間と同じだけディジタル信号を遅延させる遅延補正器であり、遅延補正器３の出力と、下側帯波強調フィルタ２および側帯波最大抑圧フィルタ４の出力は同一時刻に量子化された信号となる。
【０００３】
ここで、下側帯波強調フィルタ２の出力信号は、Ｓ／Ｎの良い下側帯波が強調されているため、この信号を復調した場合が最もＳ／Ｎ良いが、反転現象を生じ易い。また、側帯波最大抑圧フィルタ４の出力信号は、側帯波の抑圧率が大きく確実に反転現象を防止できるがＳ／Ｎのよい下側帯波が最も抑圧されているため、Ｓ／Ｎ劣化が大きい。遅延補正器３の出力は上記両者の中間的な特性となっている。
【０００４】
５は遅延補正器３と下側帯波強調フィルタ２と側帯波最大抑圧フィルタ４の出力を入力として反転現象を検出する反転現象検出器、６は選択器で、反転現象検出器５の出力がａ＝１かつｂ＝１の時はＡ側を、ａ＝１かつｂ＝０の時はＢ側を、ａ＝０かつｂ＝０の時はＣ側を選択し、ディジタルＦＭ信号の出力端子７へ出力するように構成されている。
【０００５】
次に、従来例の動作について説明する。通常は、選択器６はＣ側を選択しておく。つまり、入力端子１に入力された信号は、最もＳ／Ｎの良くなる下側帯波強調フィルタ２を通って、出力端子７へ出力される。ところが、下側帯波強調フィルタ２と側帯波最大抑圧フィルタ４の出力から、反転現象検出器５においてこのまま復調すれば反転現象を生じると判断された場合だけ選択器６はＣ側以外を選択し、出力端子７に出力される。Ａ側かＢ側かは、反転現象が生じず、しかもできるだけＳ／Ｎが良くなる方を選択する。すなわち、Ｂ側が優先されるが、Ｂ側においても反転現象が生じるときはＡ側を選択する。
【０００６】
反転現象の検出方法は、図８中に、実線で示した波形を下側帯波強調フィルタ２の出力信号であるとすると、ｘｅ（ｎ）で示した付近ではＦＭ信号と交流ゼロレベルとの交点が消失しており、このまま復調したのでは反転現象を生じる。また、この時の側帯波最大抑圧フィルタ４の出力は、図８中に破線で示した波形であり、ｘｅ（ｎ）に対応するｘｆｍ（ｎ）付近では、ゼロレベルとの交点が復活しており復調しても反転現象を生じない波形となっている。しかし、Ｓ／Ｎのよい下側帯波が抑圧されているため、復調すると、反転現象は生じないがＳ／Ｎの悪い復調出力となってしまう。
【０００７】
そこで、通常は図８中の実線の波形を出力して復調を行うが、ｘｅ（ｎ）の付近でゼロレベルとの交点が消失しているのを反転現象検出器５で検出すると、その部分だけをｘｆｍ（ｎ）の付近の破線の波形に切り換えて出力する。ただし、遅延補正器３の出力信号を用いても反転現象が生じない場合は、Ｓ／Ｎの点から遅延補正器３の出力を選択して図９に示したＦＭ信号（量子化された信号をなめらかに実線でつないだ図となっている）を出力し、復調を行えば、極端にＳ／Ｎが良く、しかもゼロレベルとの交点が復活しているため反転現象を生じない復調波形を得ることができる。
【０００８】
【発明が解決しようとする課題】
しかしながら、上記反転現象防止装置は、ゼロクロスが消失しない範囲においてできるだけ下側帯波強調フィルタを用いてＳ／Ｎを稼ごうと動作するため、選択器６から出力されるディジタルＦＭ信号は、上下側帯波のバランスが悪いものとなっている。このアンバランスなＦＭ信号を後段に設けたＦＭ復調器により復調すると、復調器の理論的な制限である復調可能な範囲を越えてしまうという現象が起こる。このため、復調範囲を越えてしまった部分のＦＭ信号については、ゼロクロスしているにも関わらず正確な復調が行えないという問題があった。この発明は、予めＦＭ復調器の復調範囲を越えるサンプリング点を検出し、補正することで、正確な復調結果が得られるＦＭ信号の反転現象防止装置を得ることを目的とする。
【０００９】
【課題を解決するための手段】
請求項１の発明に係るＦＭ信号の反転現象防止装置は、量子化されたＦＭ信号が入力される少なくとも１つの側帯波抑圧フィルタを含む複数のフィルタの出力の中から選択したディジタルＦＭ信号の振幅レベルが予め設定した範囲内であることを検出する手段、上記１つまたは複数の側帯波抑圧フィルタのうちのいずれか１つの出力信号の極大値および極小値を検出する手段、および上記２つの検出結果に応じて上記ディジタルＦＭ信号，または予め設定した値を選択する手段を備えたものである。
【００１０】
請求項２の発明に係るＦＭ信号の反転現象防止装置は、量子化されたＦＭ信号が入力される少なくとも１つの側帯波抑圧フィルタを含む複数のフィルタの出力の中から選択したディジタルＦＭ信号の振幅レベルが予め設定した範囲内であることを検出する手段、上記１つまたは複数の側帯波抑圧フィルタのうちのいずれか１つの出力信号の極大値および極小値を検出する手段、上記ディジタルＦＭ信号と同時刻の上記１つまたは複数の側帯波抑圧フィルタの出力信号のうちのいずれか１つの出力信号との減算結果の絶対値が予め設定した値より大きいか否かを検出する手段、および上記３つの検出結果に応じて上記ディジタルＦＭ信号または上記フィルタ出力信号を選択する手段を備えたものである。
【００１１】
請求項３の発明に係るＦＭ信号の反転現象防止装置は、量子化されたＦＭ信号が入力される少なくとも１つの側帯波抑圧フィルタを含む複数のフィルタの出力の中から選択したディジタルＦＭ信号の振幅レベルが予め設定した範囲内であることを検出する手段、上記１つまたは複数の側帯波抑圧フィルタのうちのいずれか１つの出力信号の極大値および極小値を検出する手段、上記ディジタルＦＭ信号と同時刻の上記１つまたは複数の側帯波抑圧フィルタの出力信号のうちのいずれか１つの出力信号との減算結果の絶対値が予め設定した値より大きいか否かを検出する手段、および上記３つの検出結果に応じて上記ディジタルＦＭ信号，上記フィルタ出力信号または予め設定した値を選択する手段を備えたものである。
【００１２】
請求項４の発明に係るＦＭ信号の反転現象防止装置は、量子化されたＦＭ信号が入力される少なくとも１つの側帯波抑圧フィルタを含む複数のフィルタの出力の中から選択したディジタルＦＭ信号の振幅レベルが予め設定した範囲内であることを検出する手段、上記１つまたは複数の側帯波抑圧フィルタのうちのいずれか１つの出力信号の極大値および極小値を検出する手段、反転現象検出装置のフィルタ選択出力値が予め設定した範囲内であることを検出する手段、および上記３つの検出結果に応じて上記ディジタルＦＭ信号、または予め設定した値を選択する手段を備えたものである。
【００１３】
請求項５の発明に係るＦＭ信号の反転現象防止装置は、量子化されたＦＭ信号が入力される少なくとも１つの側帯波抑圧フィルタを含む複数のフィルタの出力の中から選択したディジタルＦＭ信号の振幅レベルが予め設定した範囲内であることを検出する手段、上記１つまたは複数の側帯波抑圧フィルタのうちのいずれか１つの出力信号の極大値および極小値を検出する検出器、上記ディジタルＦＭ信号と、同時刻の上記１つまたは複数の側帯波抑圧フィルタの出力信号のうちのいずれか１つの出力信号との減算結果の絶対値が予め設定した値より大きいか否かを検出する手段、反転現象器のフィルタ選択出力値が予め設定した範囲内であることを検出する手段、および上記４つの検出結果に応じて上記ディジタルＦＭ信号、または上記フィルタ出力信号を選択する手段を備えたものである。
【００１４】
請求項６の発明に係るＦＭ信号の反転現象防止装置は、量子化されたＦＭ信号が入力される少なくとも１つの側帯波抑圧フィルタを含む複数のフィルタの出力の中から選択したディジタルＦＭ信号の振幅レベルが予め設定した範囲内であることを検出する手段、上記１つまたは複数の側帯波抑圧フィルタのうちのいずれか１つの出力信号の極大値および極小値を検出する手段、上記ディジタルＦＭ信号と、同時刻の上記１つまたは複数の側帯波抑圧フィルタの出力信号のうちいずれか１つの出力信号との減算結果の絶対値が予め設定した値より大きいか否かを検出する手段、反転現象検出器のフィルタ選択出力値が予め設定した範囲内であることを検出する手段、上記４つの検出結果に応じて上記ディジタルＦＭ信号，上記フィルタ出力信号、または予め設定した値を選択する手段を備えたものである。
【００１５】
【作用】
請求項１の発明によれば、量子化されたＦＭ信号が入力される少なくとも１つの側帯波抑圧フィルタを含む複数のフィルタの出力の中から選択されたディジタルＦＭ信号の振幅レベルが予め設定した範囲内であることを検出し、上記１つまたは複数の側帯波抑圧フィルタのうちのいずれか１つの出力信号の極大値および極小値を検出し、上記２つの検出結果に応じて上記ディジタルＦＭ信号、または予め設定した値を選択することにより、ＦＭ復調器の復調範囲を越えるサンプリング点を検出して補正することができる。
【００１６】
請求項２の発明によれば、量子化されたＦＭ信号が入力される少なくとも１つの側帯波抑圧フィルタを含む複数のフィルタの出力の中から選択されたディジタルＦＭ信号の振幅レベルが予め設定した範囲内であることを検出し、上記１つまたは複数の側帯波抑圧フィルタのうちのいずれか１つの出力信号の極大値および極小値を検出し、上記ディジタルＦＭ信号および、同時刻の１つまたは複数の側帯波抑圧フィルタの出力信号のうちいずれか１つのフィルタ出力信号との減算結果の絶対値が予め設定した値より大きいか否かを検出し、上記３つの検出結果に応じて上記ディジタルＦＭ信号、または上記フィルタ出力信号を選択することにより、ＦＭ復調器の復調範囲を越えるサンプリング点を検出して補正することができる。
【００１７】
請求項３の発明によれば、量子化されたＦＭ信号が入力される少なくとも１つの側帯波抑圧フィルタを含む複数のフィルタの出力の中から選択したディジタルＦＭ信号の振幅レベルが予め設定した範囲内であることを検出し、上記１つまたは複数の側帯波抑圧フィルタのうちのいずれか１つの出力信号の極大値および極小値を検出し、上記ディジタルＦＭ信号と、同時刻の上記１つまたは複数の側帯波抑圧フィルタの出力信号のうちのいずれか１つの出力信号との減算結果の絶対値が予め設定した値より大きいか否かを検出し、上記３つの検出結果に応じて上記ディジタルＦＭ信号、上記フィルタ出力信号、または予め設定した値を選択することにより、ＦＭ復調器の復調範囲を越えるサンプリング点を検出して補正することができる。
【００１８】
請求項４の発明によれば、量子化されたＦＭ信号が入力される少なくとも１つの側帯波抑圧フィルタを含む複数のフィルタの出力の中から選択されたディジタルＦＭ信号の振幅レベルが予め設定した範囲内であることを検出し、上記１つまたは複数の側帯波抑圧フィルタのうちのいずれか１つの出力信号の極大値および極小値を検出し、反転現象検出器のフィルタ選択出力値が予め設定した範囲内であることを検出し、上記３つの検出結果に応じて上記ディジタルＦＭ信号、または予め設定した値を選択することにより、ＦＭ復調器の復調範囲を越えるサンプリング点を検出して補正することができる。
【００１９】
請求項５の発明によれば、量子化されたＦＭ信号が入力される少なくとも１つの側帯波抑圧フィルタを含む複数のフィルタの力の中から選択されたディジタルＦＭ信号の振幅レベルが予め設定した範囲内であることを検出し、上記１つまたは複数の側帯波抑圧フィルタのうちのいずれか１つの出力信号の極大値および極小値を検出し、上記ディジタルＦＭ信号と、同時刻の上記１つまたは複数の側帯波抑圧フィルタの出力信号のうちのいずれか１つの出力信号との減算結果の絶対値が予め設定した値より大きいか否かを検出し、反転現象検出器のフィルタ選択出力値が予め設定した範囲内であることを検出し、上記４つの検出結果に応じて上記ディジタルＦＭ信号、または上記フィルタ出力信号を選択することにより、ＦＭ復調器の復調範囲を越えるサンプリング点を検出して補正することができる。
【００２０】
請求項６の発明によれば、量子化されたＦＭ信号が入力される少なくとも１つの側帯波抑圧フィルタを含む複数のフィルタ出力の中から選択されたディジタルＦＭ信号の振幅レベルが予め設定した範囲内であることを検出し、上記１つまたは複数の側帯波抑圧フィルタのうちのいずれか１つの出力信号の極大値および極小値を検出し、上記ディジタルＦＭ信号と、同時刻の上記１つまたは複数の側帯波抑圧フィルタの出力信号のうちいずれか１つのフィルタ出力信号との減算結果の絶対値が予め設定した値より大きいか否かを検出し、反転現象検出器のフィルタ選択出力値が予め設定した範囲内であることを検出し、上記４つの検出器の検出結果に応じて上記ディジタルＦＭ信号，上記フィルタ出力信号、または予め設定した値を選択することにより、ＦＭ復調器の復調範囲を越えるサンプリング点を検出して補正することができる。
【００２１】
【実施例】
実施例１．
この発明の実施例１を図１により説明する。図１において、図７と同一符号はそれぞれ同一構成部分を示しており、８は絶対値演算器、１０は減算器、１４は予め設定しておいた値Ｄ１を保持するメモリ、２１は２入力ＡＮＤゲート、２３は選択器で、ＦＭ信号処理回路３０を構成している。
【００２２】
ディジタルＦＭ信号を復調した際、復調範囲を超えるサンプリング点は、ゼロレベル付近の値でかつ極値を持つことが実験により確認されている。ＦＭ信号処理回路３０には、選択器６からディジタルＦＭ信号が、反転現象検出器５から側帯波最大抑圧フィルタの極大値および極小値を検出した極値検出結果が、それぞれ供給される。上記ディジタルＦＭ信号が交流ゼロレベル付近、すなわち、しきい値±Ｄ１の範囲内に存在すれば、減算器１０の符号ｂｉｔは１を出力する。また、同時刻の側帯波最大抑圧フィルタ４に極値が存在すれば、上記極値検出結果は１を出力する。上記２つの検出結果が共に１ならば、ＡＮＤゲート２１の出力信号により、選択器２３はＢ側、すなわちディジタルＦＭ信号が正ならメモリ１４の出力＋Ｄ１を、負なら−Ｄ１を選択し、検出結果のいずれかが１でなければ、Ａ側、すなわちディジタルＦＭ信号を選択して復調器に出力する。
【００２３】
以上の動作により、ゼロレベル付近の値で、かつ極値を持つサンプリング点の検出が可能であり、検出されたサンプリング点を＋Ｄ１、または−Ｄ１の値に置換することにより正確な復調結果を得ることができる。
【００２４】
実施例２．
この発明の実施例２を図２により説明する。図において、図１と同一符号はそれぞれ同一構成部分を示しており、９は絶対値演算器、１５は予め設定しておいた値Ｄ１，Ｄ２を保持するメモリ、１１は比較器、１８は３入力ＡＮＤゲート、２５は減算器で、ＦＭ信号処理回路３０を構成している。
【００２５】
ディジタルＦＭ信号を復調した際、復調範囲を超えるサンプリング点は、ゼロクロス付近の値でかつ極値を持つことが実験により確認されている。ＦＭ信号処理回路３０には、選択器６から出力結果であるディジタルＦＭ信号が、反転現象検出器５から側帯波最大抑圧フィルタの極大値および極小値を検出した極値検出結果が、遅延補正器３からフィルタ出力信号がそれぞれ供給される。上記ディジタルＦＭ信号が交流ゼロレベル付近、すなわち、しきい値±Ｄ１の範囲内に存在すれば、減算器１０の符号ｂｉｔは１を出力する。また、同時刻の側帯波最大抑圧フィルタ４に極値が存在すれば、上記極値検出結果は１を出力する。さらに、同時刻の上記ディジタルＦＭ信号と上記フィルタ出力信号との減算結果の絶対値が予め設定した値Ｄ２より大きければ比較器１１は１を出力する。上記３つの検出結果が共に１ならば、ＡＮＤゲート１８の出力信号により、選択器２３はＢ側、すなわちフィルタ４の出力信号を、そうでなければ、Ａ側、すなわちディジタルＦＭ信号を選択して復調器に出力する。
【００２６】
以上の動作により、ゼロレベル付近の値で、かつ極値を持つサンプリング点の検出が可能であり、検出されたサンプリング点を上記フィルタ出力信号値に置換することにより、正確な復調結果を得ることができる。
【００２７】
実施例３．
この発明の実施例３を図３により説明する。図において、図２と同一符号はそれぞれ同一部分を示しており、８，９は絶対値演算器、１０，２５は減算器、１４，１５，１６は予め設定しておいた値Ｄ１，Ｄ２，Ｄ３を保持するメモリ、１１，１２は比較器、１９，２０，２１は２入力ＡＮＤゲート、２４は選択器で、ＦＭ信号処理回路３０を構成している。ディジタルＦＭ信号を復調した際、復調範囲を超えるサンプリング点は、ゼロクロス付近の値でかつ極値を持つことが実験により確認されている。ＦＭ信号処理回路３０には、選択器６から出力結果であるディジタルＦＭ信号が、反転現象検出器５から側帯波最大抑圧フィルタの極大値および極小値を検出した極値検出結果が、遅延補正器３からフィルタ出力信号がそれぞれ供給される。
【００２８】
上記ディジタルＦＭ信号が交流ゼロレベル付近、すなわち、しきい値±Ｄ１の範囲内に存在すれば、減算器１０の符号ｂｉｔは１を出力する。また、同時刻の側帯波最大抑圧フィルタに極値が存在すれば、上記極値検出結果は１を出力する。上記２つの検出結果が共に１ならば、ＡＮＤゲート２１は１を出力する。さらにこの時、同時刻の上記ディジタルＦＭ信号と上記フィルタ出力信号との減算結果の絶対値が予め設定した値Ｄ２より大きければ比較器１１は１を出力し、Ｄ３より大きければ比較器１２は１を出力するため、ディジタルＦＭ信号が≦Ｄ２なら選択器２４は制御信号ａｂが００となりＡ側、＞Ｄ３ならａｂが１１となりＢ側、それ以外ならａｂが１０となりＣ側を選択して復調器に出力する。
ただし、メモリ１５，１６の値はＤ２＜Ｄ３の関係にあるため、ａｂに０１の組み合わせはない。
【００２９】
以上の動作により、ゼロレベル付近の値でかつ極値を持つサンプリング点の検出が可能であり、検出されたサンプリング点を＋Ｄ１、または−Ｄ１の値、または上記フィルタ出力信号値に置換することにより正確な復調結果を得ることができる。
【００３０】
実施例４．
この発明の実施例４を図４により説明する。入力されるＦＭ信号の下側帯波の強調度が上側帯波に対して比較的小さいとき、図１における選択器２３がＢ側を選択する度合いを制限した方が、画質的によい復調結果が得られることが知られている。本実施例４は、そのための選択手段を加えたものである。それ以外は実施例１と同等であるため、説明を省略する。図４において、図１および図２と同一符号はそれぞれ同一または相当部分を示しており、１３は比較器、１７は予め設定しておいた値Ｄ４を保持するメモリである。
【００３１】
この実施例４では、反転現象防止装置において、フィルタを選択するための制御信号ａｂのうち、ａを上位ビット、ｂを下位ビットとした場合の値が予め設定した範囲内であることを検出するため、上記制御信号ａｂの出力値がＤ４以上であれば比較器１３はＡＮＤゲート１８に１を出力する。これにより、選択器２３がＢ側を選択する度合いを制限することができる。
【００３２】
以上の動作により、ＦＭ復調器の復調範囲を越えることなく、正確な復調ができるとともに画質的によい復調結果が得られる。
【００３３】
実施例５．
この発明の実施例５を図５により説明する。入力されるＦＭ信号の下側帯波の強調度が上側帯波に対して比較的小さいとき、図２における選択器２３がＢ側を選択する度合いを制限した方が、画質的によい復調結果が得られることが知られている。本実施例５は、そのための選択手段を加えたもので、それ以外は実施例２と同等であるため、説明を省略する。図５において、図２および図４と同一符号はそれぞれ同一または相当部分を示しており、１３は比較器、１７は予め設定しておいた値Ｄ４を保持するメモリである。
【００３４】
この実施例５では、フィルタを選択するための制御信号ａｂのうち、ａを上位ビット、ｂを下位ビットとした場合の値が予め設定した範囲内であることを検出するため、上記制御信号ａｂの出力値がＤ４以上であれば比較器１３はＡＮＤゲート２２に１を出力する。これにより、選択器２３がＢ側を選択する度合いを制限することができる。
【００３５】
以上の動作により、ＦＭ復調器の復調範囲を越えることなく、正確な復調ができるとともに画質的によい復調結果が得られる。
【００３６】
実施例６．
この発明の実施例６を図６により説明する。入力されるＦＭ信号の下側帯波の強調度が上側帯波に対して比較的小さいとき、図３における選択器２４がＢおよびＣ側を選択する度合いを制限した方が、画質的によい復調結果が得られることが知られている。本実施例６は、そのための選択手段を加えたもので、それ以外は実施例３と同等であるため、説明を省略する。図６において、図１〜図４と同一符号はそれぞれ同一または相当部分を示しており、１３は比較器、１７は予め設定しておいた値Ｄ４を保持するメモリである。
【００３７】
この実施例６では、フィルタを選択するための制御信号ａｂのうちａを上位ビット、ｂを下位ビットとした場合の値が予め設定した範囲内であることを検出するため、上記制御信号ａｂの出力値がＤ４以上であれば比較器１３はＡＮＤゲート１８に１を出力する。これにより、選択器２４がＢ側またはＣ側を選択する度合いを制限することができる。
【００３８】
以上の動作により、ＦＭ復調器の復調範囲を越えることなく、正確な復調ができるとともに画質的によい復調結果が得られる。
【００３９】
【発明の効果】
請求項１の発明によれば、量子化されたＦＭ信号が入力される少なくとも１つの側帯波抑圧フィルタを含む複数のフィルタの出力の中から選択したディジタルＦＭ信号の振幅レベルが予め設定した範囲内であることを検出し、上記１つまたは複数の側帯波抑圧フィルタのうちのいずれか１つの出力信号の極大値および極小値を検出し、上記２つの検出結果に応じて上記ディジタルＦＭ信号、または予め設定した値を選択することにより、ＦＭ復調器の復調範囲を越えるサンプリング点を検出して補正することができるので、正確な復調結果を得ることができる。
【００４０】
請求項２の発明によれば、量子化されたＦＭ信号が入力される少なくとも１つの側帯波抑圧フィルタを含む複数のフィルタの出力の中から選択したディジタルＦＭ信号の振幅レベルが予め設定した範囲内であることを検出し、上記１つまたは複数の側帯波抑圧フィルタのうちのいずれか１つの出力信号の極大値および極小値を検出し、上記ディジタルＦＭ信号および、同時刻の上記１つまたは複数の側帯波抑圧フィルタの出力信号のうちいずれか１つの減算結果の絶対値が予め設定した値より大きいか否かを検出し、上記３つの検出結果に応じて上記ディジタルＦＭ信号、または上記フィルタ出力信号を選択することにより、ＦＭ復調器の復調範囲を越えるサンプリング点を検出して補正することができるので、正確な復調結果を得ることができる。
【００４１】
請求項３の発明によれば、量子化されたＦＭ信号が入力される少なくとも１つの側帯波抑圧フィルタを含む複数のフィルタ出力の中から選択したディジタルＦＭ信号の振幅レベルが予め設定した範囲内であることを検出し、上記１つまたは複数の側帯波抑圧フィルタのうちのいずれか１つの出力信号の極大値および極小値を検出し、上記ディジタルＦＭ信号および、同時刻の上記１つまたは複数の側帯波抑圧フィルタの出力信号のうちいずれか１つのフィルタ出力信号との減算結果の絶対値が予め設定した値より大きいか否かを検出し、上記３つの検出結果に応じて上記ディジタルＦＭ信号、上記フィルタ出力信号または予め設定した値を選択することにより、ＦＭ復調器の復調範囲を越えるサンプリング点を検出し、補正することができるので、正確な復調結果を得ることができる。
【００４２】
請求項４の発明によれば、量子化されたＦＭ信号が入力される少なくとも１つの側帯波抑圧フィルタを含む複数のフィルタ出力の中から選択したディジタルＦＭ信号の振幅レベルが予め設定した範囲内であることを検出し、上記１つまたは複数の側帯波抑圧フィルタのうちのいずれか１つの出力信号の極大値および極小値を検出し、フィルタを選択するための判別器の出力値が予め設定した範囲内であることを検出し、上記３つの検出結果に応じて上記ディジタルＦＭ信号、または予め設定した値を選択することにより、ＦＭ復調器の復調範囲を越えるサンプリング点を検出して補正することができるので、正確な復調結果ができるとともに、画質的によい復調結果が得られる。
【００４３】
請求項５の発明によれば、量子化されたＦＭ信号が入力される少なくとも１つの側帯波抑圧フィルタを含む複数のフィルタ出力の中から選択されたディジタルＦＭ信号の振幅レベルが予め設定した範囲内であることを検出し、上記１つまたは複数の側帯波抑圧フィルタのうちのいずれか１つの出力信号の極大値および極小値を検出し、上記ディジタルＦＭ信号と、同時刻の上記１つまたは複数の側帯波抑圧フィルタの出力信号のうちのいずれか１つの出力信号との減算結果の絶対値が予め設定した値より大きいか否かを検出し、反転検出器のフィルタ選択出力値が予め設定した範囲内であることを検出し、上記４つの検出結果に応じて上記ディジタルＦＭ信号、または上記フィルタ出力信号を選択することにより、ＦＭ復調器の復調範囲を越えるサンプリング点を検出して補正することができるので、正確な復調結果ができるとともに、画質的によい復調結果が得られる。
【００４４】
請求項６の発明によれば、量子化されたＦＭ信号が入力される少なくとも１つの側帯波抑圧フィルタを含む複数のフィルタ出力の中から選択されたディジタルＦＭ信号の振幅レベルが予め設定した範囲内であることを検出し、上記１つまたは複数の側帯波抑圧フィルタのうちのいずれか１つの出力信号の極大値および極小値を検出し、上記ディジタルＦＭ信号と、同時刻の上記１つまたはは複数の側帯波抑圧フィルタの出力信号のうちのいずれか１つの出力信号との減算結果の絶対値が予め設定した値より大きいか否かを検出し、反転現象検出器のフィルタ選択出力値が予め設定した範囲内であることを検出し、上記４つの検出器の出力結果に応じて上記ディジタルＦＭ信号，上記フィルタ出力信号，または予め設定した値選択することにより、ＦＭ復調器の復調範囲を越えるサンプリング点を検出して補正することができるので、正確な復調結果ができるとともに、画質的によい復調結果が得られる。
【図面の簡単な説明】
【図１】この発明の実施例１のＦＭ信号処理回路のブロック図である。
【図２】この発明の実施例２のＦＭ信号処理回路のブロック図である。
【図３】この発明の実施例３のＦＭ信号処理回路のブロック図である。
【図４】この発明の実施例４のＦＭ信号処理回路のブロック図である。
【図５】この発明の実施例５のＦＭ信号処理回路のブロック図である。
【図６】この発明の実施例６のＦＭ信号処理回路のブロック図である。
【図７】従来の反転現象防止装置のブロック図である。
【図８】従来の反転現象防止装置の動作を説明するためのＦＭ信号波形図である。
【図９】従来の反転現象防止装置の動作を説明するためのＦＭ信号波形図である。
【符号の説明】
２  下側帯波強調フィルタ、３  遅延補正器、４  側帯波最大抑圧フィルタ、５  反転現象検出器、６  選択器、８，９  絶対値演算器、１０  減算器、
１１  比較器、１２，１３  比較器、１４〜１７  メモリ、１８〜２２  ＡＮＤゲート、２３，２４  選択器、２５  減算器、３０  ＦＭ信号処理回路。
【図１】
0003591047.tif 000002
【図２】
0003591047.tif 000003
【図３】
0003591047.tif 000004
【図４】
0003591047.tif 000005
【図５】
0003591047.tif 000006
【図６】
0003591047.tif 000007
【図７】
0003591047.tif 000008
【図８】
0003591047.tif 000009
【図９】
0003591047.tif 000010